【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
主玩具体と、使用者が身体に装着又は把持可能であって、磁気発生部材を有する副玩具体とからなる磁気応答玩具であって、
前記主玩具体は、
使用者が、前記副玩具体を身体に装着又は把持した状態で、当該副玩具体を装着又は把持した身体上の部位を接近又は接触させることが可能な磁気検知部と、
動作部と、 
前記磁気検知部が磁気を検知したことに応じて前記動作部を動作させる動作制御部と、
を備え、
前記磁気検知部は、磁界を検知可能な磁界センサと、当該磁界センサの少なくとも一側に設けられ、軟磁性材料からなる磁界収束部材と、を有する磁気応答玩具。
【請求項２】
請求項１記載の磁気応答玩具であって、
前記磁気検知部の磁界センサは、使用者が前記副玩具体を身体に装着又は把持した状態で当該副玩具体を装着又は把持した身体上の部位を前記磁気検知部に接触させることにより、前記副玩具体の磁気発生部材の磁界を検知する磁気応答玩具。
【請求項３】
請求項２記載の磁気応答玩具であって、
前記主玩具体は使用者が把持可能な把持部を有している磁気応答玩具。
【請求項４】
請求項３記載の磁気応答玩具であって、
前記磁気検知部は使用者が把持可能である磁気応答玩具。
【請求項５】
請求項４記載の磁気応答玩具であって、前記磁界センサは、動作磁界方向を有し、前記磁界収束部材は前記磁界センサの動作磁界方向に当該磁界センサに隣設されている磁気応答玩具。
【請求項６】
請求項１乃至５のいずれか１項に記載の磁気応答玩具であって、
前記動作部は、音声または発光のうち少なくともいずれかを含む演出を出力可能な演出出力部であり、 
前記動作制御部は、前記磁気検知部が磁気を検知したことに応じて音声または発光のうち少なくともいずれかを含む演出を出力するように前記演出出力部を制御する演出制御部である磁気応答玩具。
【請求項７】
請求項１乃至６のいずれか１項に記載の磁気応答玩具であって、
前記副玩具体は指輪の形状をしている磁気応答玩具。
【請求項８】
請求項１乃至７のいずれか１項に記載の磁気応答玩具であって、
前記主玩具体は、剣、斧、槍、薙刀、銃、弓矢、小手等の武具、携帯電話、化粧用具、腕輪、人形体、動物人形のいずれかの形象物を表す形状をしている磁気応答玩具。
【請求項９】
磁気応答玩具に用いられる主玩具体であって、
前記主玩具体は、
磁気検知部と、
動作部と、
前記磁気検知部が磁気を検知したことに応じて前記動作部を動作させる動作制御部と、
を備え、
前記磁気検知部は、磁界を検知可能な磁界センサと、当該磁界センサの少なくとも一側に設けられ、軟磁性材料からなる磁界収束部材と、
を有する磁気応答玩具に用いられる主玩具体。
【請求項１０】
使用者が把持可能な把持部を有している請求項９記載の磁気応答玩具に用いられる主玩具体。
【請求項１１】
前記磁気検知部は使用者によって把持可能である前記把持部に設けられている請求項１０記載の磁気応答玩具に用いられる主玩具体。
【請求項１２】
前記磁界センサは、動作磁界方向を有し、前記磁界収束部材は前記磁界センサの動作磁界方向に当該磁界センサに隣設されている請求項１１記載の磁気応答玩具に用いられる主玩具体。
【請求項１３】
請求項１０乃至１２のいずれか１項に記載の磁気応答玩具に用いられる主玩具体であって、
前記動作部は、音声または発光のうち少なくともいずれかを含む演出を出力可能な演出出力部であり、 
前記動作制御部は、前記磁気検知部が磁気を検知したことに応じて音声または発光のうち少なくともいずれかを含む演出を出力するように前記演出出力部を制御する演出制御部である磁気応答玩具に用いられる主玩具体。
【請求項１４】
請求項１０乃至１３のいずれか１項に記載の磁気応答玩具に用いられる主玩具体であって、
前記主玩具体は、剣、斧、槍、薙刀、銃、弓矢、小手等の武具、携帯電話、化粧用具、腕輪、人形体、動物人形のいずれかの形象物を表す形状をしている磁気応答玩具に用いられる主玩具体。
【請求項１５】
使用者が把持可能な把持部と、使用者が把持可能である磁気検知部と、動作部と、前記動作部を動作させるための動作データを記憶した動作記憶部と、前記磁気検知部が磁気を検知したことに応じて前記動作部を動作させる動作制御部と、を備え、前記磁気検知部は、磁界を検知可能な磁界センサと、当該磁界センサの少なくとも一側に設けられ、軟磁性材料からなる磁界収束部材と、を有している主玩具体とともに磁気応答玩具として使用される副玩具体であって、
使用者が身体に装着又は把持可能であり、かつ、磁気発生部材を有し、
当該磁気発生部材は、使用者が前記副玩具体を身体に装着又は把持した状態で、当該副玩具体を装着又は把持した身体上の部位を前記磁気検知部に接近又は接触させたとき、前記磁界センサの動作磁界方向に沿った磁界を発生するように配置されていること、
を特徴とする磁気応答玩具に用いられる副玩具体。
【請求項１６】
指輪の形状をした請求項１５記載の磁気応答玩具に用いられる副玩具体。
【手続補正２】
【補正対象書類名】明細書
【補正対象項目名】０００６
【補正方法】変更
【補正の内容】
【０００６】
本発明に係る磁気応答玩具は、主玩具体と、使用者が身体に装着又は把持可能であって、磁気発生部材を有する副玩具体とからなる磁気応答玩具であって、前記主玩具体は、使用者が、前記副玩具体を身体に装着または把持した状態で、当該副玩具体を装着又は把持した身体上の部位を接近又は接触させることが可能な磁気検知部と、動作部と、前記動作部を動作させるための動作データを記憶した動作記憶部と、前記磁気検知部が磁気を検知したことに応じて前記動作記憶部から動作データを読み出し、当該読み出した動作データに基づいて前記動作部を動作させる動作制御部と、を備え、前記磁気検知部は、磁界を検知可能な磁界センサと、当該磁界センサの少なくとも一側に設けられ、軟磁性材料からなる磁界収束部材と、を有することを特徴とする。また、本発明に係る磁気応答玩具は、主玩具体と、使用者が身体に装着又は把持可能であって、磁気発生部材を有する副玩具体とからなる磁気応答玩具であって、前記主玩具体は、使用者が、前記副玩具体を身体に装着又は把持した状態で、当該副玩具体を装着又は把持した身体上の部位を接近又は接触させることが可能な磁気検知部と、動作部と、前記磁気検知部が磁気を検知したことに応じて前記動作部を動作させる動作制御部と、を備え、前記磁気検知部は、磁界を検知可能な磁界センサと、当該磁界センサの少なくとも一側に設けられ、軟磁性材料からなる磁界収束部材と、を有することを特徴とする。

【手続補正３】
【補正対象書類名】明細書
【補正対象項目名】０００９
【補正方法】変更
【補正の内容】
【０００９】
また、本発明に係る磁気応答玩具においては、前記磁気検知部は前記把持部に設けられているようにしてもよい。また、本発明に係る磁気応答玩具においては、前記磁気検知部は使用者が把持可能であるようにしてもよい。
【手続補正４】
【補正対象書類名】明細書
【補正対象項目名】００１１
【補正方法】変更
【補正の内容】
【００１１】
また、本発明に係る磁気応答玩具においては、前記磁界収束部材は前記磁界センサの動作磁界方向に当該磁界センサに隣設されているようにしてもよい。また、本発明に係る時期応答玩具においては、前記磁界センサは、動作磁界方向を有し、前記磁界収束部材は前記磁界センサの動作磁界方向に当該磁界センサに隣設されているようにしてもよい。
【手続補正５】
【補正対象書類名】明細書
【補正対象項目名】００１２
【補正方法】変更
【補正の内容】
【００１２】
また、本発明に係る磁気応答玩具においては、前記動作部は、音声または発光のうち少なくともいずれかを含む演出を出力可能な演出出力部であり、また、動作記憶部は、前記演出出力部によって演出として出力される演出データを記憶した演出記憶部であり、前記動作制御部は、前記磁気検知部が磁気を検知したことに応じて前記演出記憶部から演出データを読み出し、当該読み出した演出データに基づいて音声または発光のうち少なくともいずれかを含む演出を出力するように前記演出出力部を制御する演出制御部であるようにしてもよい。また、本は爪印係る時期応答玩具においては、前記動作部は、音声または発光のうち少なくともいずれかを含む演出を出力可能な演出出力部であり、前記動作制御部は、前記磁気検知部が磁気を検知したことに応じて音声または発光のうち少なくともいずれかを含む演出を出力するように前記演出出力部を制御する演出制御部であるようにしてもよい。
【手続補正６】
【補正対象書類名】明細書
【補正対象項目名】００１３
【補正方法】変更
【補正の内容】
【００１３】
また、本発明に係る磁気応答玩具においては、前記副玩具体は、指輪形状またはカード形状のいずれかの形状をしているようにしてもよい。また、本発明に係る磁気応答玩具においては、前記副玩具体は指輪の形状をしているようにしてもよい。
【手続補正７】
【補正対象書類名】明細書
【補正対象項目名】００１５
【補正方法】変更
【補正の内容】
【００１５】
また、本発明に係る磁気応答玩具に用いられる主玩具体であって、前記主玩具体は、磁気検知部と、動作部と、前記動作部を動作させるための動作データを記憶した動作記憶部と、前記磁気検知部が磁気を検知したことに応じて前記動作記憶部から動作データを読み出し、当該読み出した動作データに基づいて前記動作部を動作させる動作制御部と、を備え、前記磁気検知部は、磁界を検知可能な磁界センサと、当該磁界センサの少なくとも一側に設けられ、軟磁性材料からなる磁界収束部材と、を有することを特徴とする。また、本発明に係る磁気応答玩具に用いられる主玩具体であって、前記主玩具体は、磁気検知部と、動作部と、前記磁気検知部が磁気を検知したことに応じて前記動作部を動作させる動作制御部と、を備え、前記磁気検知部は、磁界を検知可能な磁界センサと、当該磁界センサの少なくとも一側に設けられ、軟磁性材料からなる磁界収束部材と、を有することを特徴とする。

【手続補正８】
【補正対象書類名】明細書
【補正対象項目名】００１７
【補正方法】変更
【補正の内容】
【００１７】
また、本発明に係る磁気応答玩具に用いられる主玩具体においては、前記磁気検知部は前記把持部に設けられているようにしてもよい。また、本発明に係る磁気応答玩具に用いられる主玩具体においては、前記磁気検知部は使用者によって把持可能である前記把持部に設けられているようにしてもよい。

【手続補正９】
【補正対象書類名】明細書
【補正対象項目名】００１９
【補正方法】変更
【補正の内容】
【００１９】
また、本発明に係る磁気応答玩具に用いられる主玩具体においては、前記磁界収束部材は前記磁界センサの動作磁界方向に当該磁界センサに隣設されているようにしてもよい。また、本発明に係る磁気応答玩具に用いられる主玩具体においては、前記磁界センサは、動作磁界方向を有し、前記磁界収束部材は前記磁界センサの動作磁界方向に当該磁界センサに隣設されているようにしてもよい。

【手続補正１０】
【補正対象書類名】明細書
【補正対象項目名】００２０
【補正方法】変更
【補正の内容】
【００２０】
また、本発明に係る磁気応答玩具に用いられる主玩具体においては、前記動作部は、音声または発光のうち少なくともいずれかを含む演出を出力可能な演出出力部であり、また、前記動作記憶部は、前記演出出力部によって演出として出力される演出データを記憶した演出記憶部であり、前記動作制御部は、前記磁気検知部が磁気を検知したことに応じて前記演出記憶部から演出データを読み出し、当該読み出した演出データに基づいて音声または発光のうち少なくともいずれかを含む演出を出力するように前記演出出力部を制御する演出制御部であるようにしてもよい。また、本発明に係る磁気応答玩具に用いられる主玩具体においては、前記動作部は、音声または発光のうち少なくともいずれかを含む演出を出力可能な演出出力部であり、前記動作制御部は、前記磁気検知部が磁気を検知したことに応じて音声または発光のうち少なくともいずれかを含む演出を出力するように前記演出出力部を制御する演出制御部であるようにしてもよい。

【手続補正１１】
【補正対象書類名】明細書
【補正対象項目名】００２２
【補正方法】変更
【補正の内容】
【００２２】
また、本発明に係る磁気応答玩具に用いられる副玩具体は、使用者が把持可能な把持部と、当該把持部に設けられた磁気検知部と、動作部と、前記動作部を動作させるための動作データを記憶した動作記憶部と、前記磁気検知部が磁気を検知したことに応じて前記動作記憶部から動作データを読み出し、当該読み出した動作データに基づいて前記動作部を動作させる動作制御部と、を備え、前記磁気検知部は、所定の動作磁界方向に沿った磁界を検知可能であり、当該動作磁界方向を前記把持部の軸心に沿わせて前記把持部に設けられている磁界センサと、当該磁界センサの少なくとも一側に設けられ、軟磁性材料からなる磁界収束部材と、を有している主玩具体とともに磁気応答玩具として使用される副玩具体であって、使用者が身体に装着又は把持可能であり、かつ、磁気発生部材を有し、当該磁気発生部材は、使用者が前記副玩具体を身体に装着又は把持した状態で、当該副玩具体を装着又は把持した身体上の部位を前記磁気検知部に接近又は接触させたとき、前記磁界センサの動作磁界方向に沿った磁界を発生するように配置されていること、を特徴とする。また、本発明に係る磁気応答玩具に用いられる副玩具体は、使用者が把持可能な把持部と、使用者が把持可能である磁気検知部と、動作部と、前記動作部を動作させるための動作データを記憶した動作記憶部と、前記磁気検知部が磁気を検知したことに応じて前記動作部を動作させる動作制御部と、を備え、前記磁気検知部は、磁界を検知可能な磁界センサと、当該磁界センサの少なくとも一側に設けられ、軟磁性材料からなる磁界収束部材と、を有している主玩具体とともに磁気応答玩具として使用される副玩具体であって、使用者が身体に装着又は把持可能であり、かつ、磁気発生部材を有し、当該磁気発生部材は、使用者が前記副玩具体を身体に装着又は把持した状態で、当該副玩具体を装着又は把持した身体上の部位を前記磁気検知部に接近又は接触させたとき、前記磁界センサの動作磁界方向に沿った磁界を発生するように配置されていること、を特徴とする。

【手続補正１２】
【補正対象書類名】明細書
【補正対象項目名】００２３
【補正方法】変更
【補正の内容】
【００２３】
また、本発明に係る磁気応答玩具に用いられる副玩具体は指輪形状またはカード形状のいずれかの形状としてもよい。また、本発明に係る磁気応答玩具に用いられる副玩具体は指輪の形状をしているようにしてもよい。